(57)【要約】【課題】回転端の傾斜角度を定めることが可能な電線ガイド装置を提供する。【解決手段】被固定部Ｄに固定されるブラケット４０と、電線１１を包囲して所定の形状に屈曲可能な電線ガイド１２の端部に配され、前記ブラケット４０に任意の方向に回転可能に保持される回転端２０と、前記ブラケット４０または前記回転端２０に設けられ、前記回転端２０が所定の角度に傾いたときに相手側に当接することで前記回転端２０の角度を規制する角度規制エッジ６１，６２と、を備えている。【選択図】図１５
2018061340.tif 000002
【特許請求の範囲】
【請求項１】
被固定部に固定されるブラケットと、
電線を包囲して所定の形状に屈曲可能な電線ガイドの端部に配され、前記ブラケットに任意の方向に回転可能に保持される回転端と、
前記ブラケットまたは前記回転端に設けられ、前記回転端が所定の角度に傾いたときに相手側に当接することで前記回転端の角度を規制する角度規制エッジと、
を備えている電線ガイド装置。
【請求項２】
前記角度規制エッジが、前記回転端が所定の角度に傾いたときに少なくとも前記回転端の上下両側で相手側に当接するようになっている請求項１に記載の電線ガイド装置。
【請求項３】
前記相手側が、溝形状をなしている請求項１または請求項２に記載の電線ガイド装置。
【発明の詳細な説明】
【技術分野】
【０００１】
本発明は、電線ガイド装置に関する。
【背景技術】
【０００２】
従来、例えば自動車のスライドドア内に装備された電装品に給電するワイヤハーネス等、所定の屈曲動作が繰り返し行われるワイヤハーネスの動きをガイドする電線ガイド装置が知られている。例えば下記特許文献１に記載の電線ガイド装置は、電線を包囲して所定の形状に屈曲変位可能な構造を有する電線ガイドと、電線ガイドの端部を保持してスライドドアに固定されるブラケットを備えている。電線ガイドの端部とブラケットとは球面接触構造とされ、電線ガイドの端部は任意の方向に回転可能となっている。
【先行技術文献】
【特許文献】
【０００３】
【特許文献１】特開２０１５−１０１１３１号公報
【発明の概要】
【発明が解決しようとする課題】
【０００４】
しかしながら、上記のような構成では、電線ガイドの端部（回転端）の傾斜角度が定まらないという問題がある。すなわち電線の反力や重力等によって回転端が滑るので、回転端の傾斜角度のばらつきが大きく、角度の管理が難しいという問題があった。
【０００５】
本発明は上記のような事情に基づいて完成されたものであって、回転端の傾斜角度を定めることが可能な電線ガイド装置を提供することを目的とする。
【課題を解決するための手段】
【０００６】
本発明の電線ガイド装置は、被固定部に固定されるブラケットと、電線を包囲して所定の形状に屈曲可能な電線ガイドの端部に配され、前記ブラケットに任意の方向に回転可能に保持される回転端と、前記ブラケットまたは前記回転端に設けられ、前記回転端が所定の角度に傾いたときに相手側に当接することで前記回転端の角度を規制する角度規制エッジと、を備えているものである。
【発明の効果】
【０００７】
本発明によれば、回転端の滑りが規制されるから、回転端の傾斜角度を定めることができる。
【図面の簡単な説明】
【０００８】
【図１】本実施例における電線ガイド装置であって、スライドドアの開閉に伴って電線ガイドが屈曲変位する様子を示す概略平面図
【図２】回転端が保持されている状態のブラケットを示す正面図
【図３】回転端が保持されている状態を示す一部拡大断面図であって、図２のＡ−Ａ位置における断面に相当する断面図
【図４】回転端を示す斜視図
【図５】回転端を示す平面図
【図６】回転端を示す底面図
【図７】回転端を示す側面図
【図８】回転端を示す正面図
【図９】回転端を示す背面図
【図１０】回転端を示す断面図
【図１１】ブラケットの第１部材の回転端保持部を示す一部切欠き正面図
【図１２】ブラケットの第２部材の回転端保持部を示す一部切欠き正面図
【図１３】ブラケットに回転端が保持されている状態を示す断面図
【図１４】回転端が上向きに傾いた状態を示す断面図
【図１５】回転端が下向きに傾いた状態を示す断面図
【発明を実施するための形態】
【０００９】
本発明の好ましい形態を以下に示す。
本発明の電線ガイド装置は、前記角度規制エッジが、前記回転端が所定の角度に傾いたときに少なくとも前記回転端の上下両側で相手側に当接するようになっているものとしてもよい。このような構成によれば、回転端の傾斜角度をより確実に定めることができる。
【００１０】
また、本発明の電線ガイド装置は、前記相手側が、溝形状をなしているものとしてもよい。このような構成によれば、溝形状の縁が角度規制エッジに係止するから、回転端の傾斜角度をより確実に定めることができる。
【００１１】
＜実施例＞
以下、本発明を具体化した一実施例について、図１〜図１５を参照しつつ詳細に説明する。
本実施例における電線ガイド装置は、スライドドアＤを有する車両に搭載されるものであり、スライドドアＤ内に装備される図示しない電装品に常時給電するスライドドア用ワイヤハーネス１０の屈曲動作をガイドするものである。スライドドアＤは、完全に閉じた全閉状態から完全に開いた全開状態に向かう（車両後方へスライド移動する）にしたがって斜め上方に変位するようになっている。ワイヤハーネス１０は、複数本の電線１１を有し、車両ボディＢとスライドドアＤとの間に架設される。以下、各構成部材において、図２の上側（ワイヤハーネス１０が車両に搭載された状態における上側）を上方、下側を下方として説明する。
【００１２】
電線ガイド装置は、複数本の電線１１を包囲して略水平面内で所定の形状に屈曲可能な電線ガイド１２を備えている。電線ガイド１２は、図１に示すように、略角筒状に形成された複数のリンク体１３を回動可能に連結したものである。電線ガイド１２のボディＢ側の端部は、ボディ側ブラケット１４に回動不能な状態で連結され、スライドドアＤ側の端部（以後、回転端２０と称する）は、ドア側ブラケット（以後、単にブラケット４０と称する）に回動可能に連結される。電線ガイド１２は、スライドドアＤの全閉状態及び全開状態では車両ボディＢに下側を支持され、全閉状態と全開状態との間の半開状態では、宙に浮いた状態になる。なお、電線ガイド１２は、可撓性を有するゴム製の保護チューブ（図示せず）によって保護されている。
【００１３】
回転端２０は、電線ガイド１２の端部に配され、ブラケット４０に回転可能に保持されるものである。回転端２０は、図４に示すように、全体として中空のブロック状に形成されている。回転端２０は、電線１１を包囲して電線ガイド１２の長手方向に開口する筒状部２１を有し、筒状部２１のうち長手方向における一端側には、他のリンク体１３との連結部２２が設けられている。連結部２２は、上下に対向配置された一対の連結片２３を有し、一対の連結片２３には、リンク体１３の連結突起１５が嵌合可能な連結穴２４が開口している（図１３参照）。
【００１４】
回転端２０の上面には、図１３に示すように、電線ガイド１２の内部から回転端２０の内部に挿通された電線１１を外部に引き出す電線挿通孔２５が形成されている。電線挿通孔２５の周壁には、回転端２０の内部から上端に向かって電線挿通孔２５の幅寸法を連結部２２とは反対側に広げるように傾斜（湾曲）した拡幅部２６が形成されている。電線挿通孔２５の上端縁は、図５に示すように、平面視、電線ガイド１２の連結方向に長い長円形状をなしている。
【００１５】
電線ガイド１２の上端縁には、ブラケット４０側に当接することにより回転端２０の過度の傾斜姿勢を防ぐように機能する規制壁部２７が立設されている。規制壁部２７は、電線挿通孔２５の上端縁に沿って略垂直に立ち上がっている。また、規制壁部２７は、電線挿通孔２５の上端縁のうち連結部２２側の略半分程度の部分のみに円弧状をなして連続して設けられている。
【００１６】
回転端２０の下面には、ブラケット４０の嵌合穴部５１に嵌合可能な嵌合突部２８が下向きに突設されている。嵌合突部２８は、円筒形状をなし、電線挿通孔２５とほぼ同軸をなして上下方向に貫通している。
【００１７】
回転端２０は、ブラケット４０に対していわゆるボールジョイント構造により支持される。回転端２０の上下両側には、ボールジョイント構造を構成する上支持面２９および下支持面３１が形成されている。上支持面２９および下支持面３１は、球面形状をなし、それぞれブラケット４０の上受け面４５及び下受け面４６と摺動する。これにより、ブラケット４０に保持された状態の回転端２０は、任意の方向（水平方向および垂直方向）の回動が可能になっている。
【００１８】
上支持面２９は、図５に示すように、電線挿通孔２５の全周を囲んで周方向に連続して設けられている。上支持面２９は、図７に示すように、電線挿通孔２５の上端縁から下方に向かって次第に径寸法が増すように滑らかに曲がっている曲面である。
【００１９】
下支持面３１は、図６に示すように、嵌合突部２８の全周を囲んで周方向に連続して設けられている。下支持面３１は、上支持面２９に比して幅寸法（径方向の寸法）が大きくされている。下支持面３１は、図７に示すように、嵌合突部２８の上端から上方に向かって次第に径寸法が増すように滑らかに曲がっている曲面である。
【００２０】
回転端２０の上部には、図４に示すように、上フランジ部３２が設けられている。上フランジ部３２は、連結部２２とは反対側に設けられ、上支持面２９の下端縁に沿って、水平方向に一段突出している。
【００２１】
また、回転端２０の上面には、上溝部３３が形成されている。上溝部３３は、連結部２２側に設けられ、上支持面２９の下端縁に沿って一段下側に凹んだ形態をなしている。上溝部３３は、図１０に示すように、上支持面２９と連結片２３との間に形成されており、上支持面２９の下端縁が上溝部３３の底面３３Ｓに連なり、連結片２３の上面が上溝部３３の底面３３Ｓよりも一段上方に位置している。上溝部３３の底面３３Ｓは、上フランジ部３２の上面とほぼ同一高さに配されている。
【００２２】
回転端２０の下部には、図１０に示すように、下フランジ部３４が設けられている。下フランジ部３４は、連結部２２とは反対側に設けられ、下支持面３１の上端縁に沿って、水平方向に一段突出している。下フランジ部３４は、図６に示すように、下支持面３１の半分以上の範囲にわたり連続して形成されている。
【００２３】
また、回転端２０の下面には、下溝部３５が形成されている。下溝部３５は、連結部２２側に設けられ、図１０に示すように、下支持面３１の上端縁に沿って一段上側に凹んだ形態をなしている。下溝部３５は、下支持面３１と連結片２３との間に形成されており、下支持面３１の上端縁が下溝部３５の底面３５Ｓに連なり、連結片２３の下面が下溝部３５の底面３５Ｓよりも一段下方に位置している。下溝部３５の底面３５Ｓは、下フランジ部３４の下面とほぼ同一高さに配されている。なお、下溝部３５と下フランジ部３４とで、下支持面３１のほぼ全周が取り囲まれている。
【００２４】
回転端２０の上フランジ部３２及び下フランジ部３４は、回転端２０の角度を規制する角度規制エッジを構成している。角度規制エッジについては、後ほど詳しく説明する。
【００２５】
回転端２０は、図１０に示すように、上下方向に合体可能な上側部材２０Ｕ及び下側部材２０Ｓを有した半割構造とされている。上側部材２０Ｕは、電線挿通孔２５を有し、全体として筒状部２１の下面側が開放された箱形状をなしている。下側部材２０Ｓは、嵌合突部２８を有し、全体として上側部材２０Ｕの開放面側を塞ぐ蓋板形状をなしている。上側部材２０Ｕと下側部材２０Ｓとは、複数箇所に設けられた連結手段３６によって一体的に連結されて保持される。
【００２６】
ブラケット４０は、スライドドア（被固定部）Ｄの内部に固定されるものであり、スライドドアＤに固定される固定用フランジ部４１を複数有している（図２参照）。
【００２７】
ブラケット４０は、回転端２０を保持する回転端保持部４２を備えている。回転端保持部４２には、回転端２０の上部および下部をそれぞれ保持する上保持部４３及び下保持部４４が設けられている。上保持部４３及び下保持部４４は、それぞれ上支持面２９および下支持面３１を全周にわたって囲うものである。
【００２８】
上保持部４３及び下保持部４４には、回転端２０の上支持面２９及び下支持面３１をそれぞれ支持してボールジョイント構造を構成する上受け面４５および下受け面４６が形成されている（図１３参照）。上受け面４５および下受け面４６は、上支持面２９および下支持面３１に沿う球面形状をなし、回転端２０の上支持面２９および下支持面３１と球面接触するようになっている。
【００２９】
上受け面４５は、上端から下方に向かって次第に径寸法が増すように滑らかに曲がっている曲面であり、下受け面４６は、下端から上方に向かって次第に径寸法が増すように滑らかに曲がっている曲面である。上受け面４５及び下受け面４６はいずれも上保持部４３および下保持部４４の全周にわたって連続している。
【００３０】
上受け面４５の中心部には、回転端２０から引き出された電線１１をブラケット４０の外部に引き出す電線引出部４７が開口している。電線引出部４７は、上保持部４３の中心部から上方に向かって筒状をなして延び、ブラケット４０の上端に開口している。回転端２０が回転端保持部４２に保持された状態では、回転端２０の電線挿通孔２５と電線引出部４７とが上下方向に連通するようになっている（図１３参照）。
【００３１】
電線引出部４７の下端部は、回転端２０の過度の傾斜姿勢を防ぐように回転端２０の規制壁部２７が当接可能な規制受け部４８を構成している。規制受け部４８は、電線引出部４７の内周面であり、上下方向（略垂直）に切り立った面とされ、電線引出部４７の全周にわたって連続している。規制受け部４８は、平面的には、全周が閉じた円形状をなし、規制壁部２７の形状に沿うようになっている（図３参照）。規制受け部４８は、上受け面４５の上端に連なっている。なお、電線引出部４７のうち規制受け部４８の上側には、上方に向かって電線引出部４７の幅寸法を一段狭めるような絞り部４９が設けられている。
【００３２】
下受け面４６の中心部には、図１３に示すように、回転端２０の嵌合突部２８が嵌合可能な嵌合穴部５１が設けられている。嵌合穴部５１は、全周が閉じた断面円形状をなして上下方向に貫通する穴である。嵌合穴部５１は、下方へ向けて穴径が増すように形成され、嵌合突部２８との間に十分なクリアランスが確保されている。これにより、嵌合穴部５１には、回転端２０の嵌合突部２８が回動及び傾動可能に嵌め入れられる。
【００３３】
ブラケット４０は、水平方向に合体可能な第１部材４０Ｆ及び第２部材４０Ｓを有した半割構造とされている。第１部材４０Ｆと第２部材４０Ｓとを離間した状態では、回転端保持部４２及び電線引出部４７が水平方向に開放される。
【００３４】
第１部材４０Ｆには、複数の固定用フランジ部４１が設けられている。第１部材４０Ｆのうち上保持部４３と下保持部４４との間の部分は、ブラケット４０に保持された状態の回転端２０を外部に露出させる開口部５２が設けられている。
【００３５】
第２部材４０Ｓには、図１２に示すように、回転端２０の上フランジ部３２及び下フランジ部３４が嵌る嵌合溝５３が形成されている。嵌合溝５３は、水平方向に延びて第２部材４０Ｓを内外方向に貫通する細長い溝である。嵌合溝５３は、第２部材４０Ｓのうち上支持面２９の下側及び下支持面３１の上側にそれぞれ設けられている。
【００３６】
第１部材４０Ｆと第２部材４０Ｓとは、複数箇所に設けられた位置決め手段５４によって位置決めされるとともに、複数個所に設けられた連結手段５５によって一体的に連結されて保持される。位置決め手段５４は、例えば回転端保持部４２の四隅に設けられ、連結手段５５は、回転端保持部４２の上下両側及び電線引出部４７の左右両側等、任意の複数個所に設けられている。
【００３７】
さて、ブラケット４０及び回転端２０には、回転端２０が所定の角度に傾いたときに相手側に当接することで回転端２０の角度を規制する角度規制エッジ（以後、回転端２０に設けられている角度規制エッジを回転端側エッジ６１、ブラケット４０に設けられている角度規制エッジをブラケット側エッジ６２と称する）が設けられている。回転端側エッジ６１及びブラケット側エッジ６２は、回転端２０が所定の角度に傾いたときに回転端２０の上下両側で相手側に当接するようになっている。また、回転端側エッジ６１及びブラケット側エッジ６２は、回転端２０が所定の角度に傾いたときに電線挿通孔２５及び嵌合突部２８の両側（連結部２２側とその反対側）で相手側に当接するようになっている。
【００３８】
回転端側エッジ６１は、電線ガイド１２に下向きの力が作用して回転端２０が下向きに（連結部２２が下方に変位するように）傾いた場合に相手側に当接する第１回転端側エッジ６１Ｆと、電線ガイド１２に上向きの力が作用して回転端２０が上向きに（連結部２２が上方に変位するように）傾いた場合に相手側に当接する第２回転端側エッジ６１Ｓと、を備えている。
【００３９】
第１回転端側エッジ６１Ｆは、図１５に示すように、回転端２０の上フランジ部３２によって構成されている。第１回転端側エッジ６１Ｆは、上保持部４３の下面（上受け面４５の下端の外周側に連なる略水平な面）に当接する。
【００４０】
第２回転端側エッジ６１Ｓは、図１４に示すように、回転端２０の下フランジ部３４によって構成されている。第２回転端側エッジ６１Ｓは、下保持部４４の上面（下受け面４６の上端に連なって外周側に広がる略水平な面）に当接する。
【００４１】
ブラケット側エッジ６２は、電線ガイド１２に下向きの力が作用して回転端２０が下向きに（連結部２２が下方に変位するように）傾いた場合に相手側に当接する第１ブラケット側エッジ６２Ｆと、電線ガイド１２に上向きの力が作用して回転端２０が上向きに（連結部２２が上方に変位するように）傾いた場合に相手側に当接する第２ブラケット側エッジ６２Ｓと、を備えている。
【００４２】
第１ブラケット側エッジ６２Ｆは、図１５に示すように、下保持部４４の上端部（下受け面４６と、下受け面４６の外周側を囲むように形成されている下側外周面５６との間の先細りの形状をなす部分）によって構成されている。下側外周面５６は、径方向の内側（下受け面４６側）に向かって次第に上るように傾斜している。第１ブラケット側エッジ６２Ｆは、下溝部３５の底面３５Ｓに当接する。下溝部３５の外周側の縁（連結片２３との段差部分）は、仮に第１ブラケット側エッジ６２Ｆが下溝部３５の底面３５Ｓを滑ったとしても、第１ブラケット側エッジ６２Ｆに当接してそれ以上の滑りを確実に止めることが可能な補助エッジ６５となっている。
【００４３】
第２ブラケット側エッジ６２Ｓは、図１４に示すように、上保持部４３の下端部（上受け面４５と、上受け面４５の外周側を囲むように形成されている上側外周面５７との間の先細りの部分）によって構成されている。上側外周面５７は、略垂直な面とされている。第２ブラケット側エッジ６２Ｓは、上溝部３３の底面３３Ｓに当接する。上溝部３３の外周側の縁（連結片２３との段差部分）は、仮に第２ブラケット側エッジ６２Ｓが上溝部３３の底面３３Ｓを滑ったとしても、第２ブラケット側エッジ６２Ｓに当接してそれ以上の滑りを確実に止めることが可能な補助エッジ６８となっている。
【００４４】
次に、本実施例における電線ガイド装置の組み立て及び車両への取り付け作業の一例を説明する。
まず、電線ガイド１２に電線１１の束を挿通するとともに、電線ガイド１２の端部に回転端２０を連結する。電線ガイド１２の内部を通過した電線１１の束を上側部材２０Ｕの電線挿通孔２５に通し、下側部材２０Ｓを上側部材２０Ｕに合体させ、回転端２０の連結部２２をリンク体１３に連結する。
【００４５】
次いで、回転端２０をブラケット４０に保持させる。回転端２０の上フランジ部３２及び下フランジ部３４を第２部材４０Ｓの嵌合溝５３に嵌め込むとともに、第１部材４０Ｆの開口部５２が回転端２０に位置するようにして、離間した状態の第１部材４０Ｆと第２部材４０Ｓとの間に回転端２０を挟み込む。第１部材４０Ｆと第２部材４０Ｓとを位置決め手段５４によって位置決めするとともに連結手段５５によって合体させると、回転端２０がブラケット４０の回転端保持部４２に保持される。
【００４６】
次に、電線ガイド装置を車両に搭載する。ブラケット４０の固定用フランジ部４１をスライドドアＤに固定すると、図１３に示すように、回転端２０の下支持面３１が下受け面４６の上に載置されて支持され、回転端２０の上支持面２９が上受け面４５に接した状態になる。
【００４７】
このとき、回転端２０は、電線１１の反力や重力等の影響によって、上向きまたは下向きの姿勢に傾くことがある。図１４に示すように、回転端２０が上向きの姿勢になると、第２ブラケット側エッジ６２Ｓが回転端２０の上溝部３３の底面３３Ｓに当接するとともに、第２回転端側エッジ６１Ｓが下保持部４４の上面に当接し、回転端２０の上下２点において明確に滑り止めがなされ、角度が定められる。第２ブラケット側エッジ６２Ｓが上溝部３３の長手方向（回転端２０の周方向）の全体にわたり当接し、第２回転端側エッジ６１Ｓの長手方向（回転端２０の周方向）の全体が下保持部４４の上面に当接することにより、回転端２０の短手方向（電線ガイド１２の延び方向と交差する方向）の傾きも防がれる。
【００４８】
また、図１５に示すように、回転端２０が下向きの姿勢になると、第１ブラケット側エッジ６２Ｆが回転端２０の下溝部３５の底面３５Ｓに当接するとともに、第１回転端側エッジ６１Ｆが上保持部４３の下面に当接し、回転端２０の上下２点において明確に滑り止めがなされ、角度が定められる。第１ブラケット側エッジ６２Ｆが下溝部３５の長手方向（回転端２０の周方向）の全体にわたり当接し、第１回転端側エッジ６１Ｆの長手方向（回転端２０の周方向）の全体が上保持部４３の下面に当接することにより、回転端２０の短手方向（電線ガイド１２の延び方向と交差する方向）の傾きも防がれる。また、回転端２０の規制壁部２７がブラケット４０の規制受け部４８に当接し、回転端２０の脱落が防がれる。
【００４９】
次に、上記のように構成された実施例の作用および効果について説明する。
本実施例における電線ガイド装置は、スライドドアＤに固定されるブラケット４０と、電線１１を包囲して所定の形状に屈曲可能な電線ガイド１２の端部に配され、ブラケット４０に任意の方向に回転可能に保持される回転端２０と、を備え、ブラケット４０及び回転端２０には、回転端２０が所定の角度に傾いたときに相手側に当接することで回転端２０の角度を規制する回転端側エッジ６１及びブラケット側エッジ６２が設けられている。この構成によれば、回転端２０の滑りが規制されるから、回転端２０の傾斜角度を定めることができる。
【００５０】
また、回転端側エッジ６１及びブラケット側エッジ６２が、回転端２０が所定の角度に傾いたときに少なくとも回転端２０の上下両側で相手側に当接するようになっている。この構成によれば、回転端２０の傾斜角度をより確実に定めることができる。
【００５１】
また、ブラケット側エッジ６２の当接相手が、溝形状をなす上溝部３３及び下溝部３５とされている。このような構成によれば、上溝部３３及び下溝部３５の縁（補助エッジ６５，６８）がブラケット側エッジ６２に係止するから、回転端２０の傾斜角度をより確実に定めることができる。
【００５２】
＜他の実施例＞
本発明は上記記述及び図面によって説明した実施例に限定されるものではなく、例えば次のような実施例も本発明の技術的範囲に含まれる。
（１）上記実施例では、ブラケット側エッジ６２が回転端２０の上溝部３３の底面３３Ｓまたは下溝部３５の底面３５Ｓに当接するものとされているが、これに限らず、ブラケット側エッジは、回転端において溝形状をなす部分ではなく、任意の形状をなす部分に当接するものとしてもよい。
（２）上記実施例では、本発明をスライドドアＤ側の端部構造に適用した場合について説明したが、これに限らず、本発明は、ボディ側の端部構造にも適用することができる。
（３）上記実施例では、本発明をスライドドア用のワイヤハーネス１０の屈曲動作をガイドする電線ガイド装置に適用した場合について説明したが、本発明は所定の形状に屈曲可能な各種のワイヤハーネス（例えばスライドシートに接続するワイヤハーネス等）の屈曲動作をガイドする電線ガイドに適用することができる。
（４）上記実施例では、回転端側エッジ６１及びブラケット側エッジ６２が、回転端２０の上下両側で相手側に当接するようになっているが、これに限らず、回転端側エッジ及びブラケット側エッジが、回転端の上側または下側のいずれか一方の側のみで当接するようにしてもよい。
【符号の説明】
【００５３】
Ｄ…スライドドア（被固定部）
１１…電線
１２…電線ガイド
２０…回転端
４０…ブラケット
６１…回転端側エッジ（角度規制エッジ）
６２…ブラケット側エッジ（角度規制エッジ）
【図１】
2018061340.tif 000003
【図２】
2018061340.tif 000004
【図３】
2018061340.tif 000005
【図４】
2018061340.tif 000006
【図５】
2018061340.tif 000007
【図６】
2018061340.tif 000008
【図７】
2018061340.tif 000009
【図８】
2018061340.tif 000010
【図９】
2018061340.tif 000011
【図１０】
2018061340.tif 000012
【図１１】
2018061340.tif 000013
【図１２】
2018061340.tif 000014
【図１３】
2018061340.tif 000015
【図１４】
2018061340.tif 000016
【図１５】
2018061340.tif 000017